(57)【要約】      （修正有）【課題】進行方向に対して前向きで漕ぐことの出来るオールであると共に、漕ぎ易く、水掻き部の水中への浮沈操作も容易なボートを提供する。【解決手段】ボート１の左右舷間の中央部に支持支柱９を設置し、この支持支柱９に各舷に配置するオール２の基部３を軸支すると共に、オール２の基部３寄りの中間部に握り部６を設ける。握り部６は、オール２の長手方向の略垂直面に設けられ、且つオール２の長手方向に対して、並行部６１、左・右方向への傾斜部６２及び垂直部６３を有する枠体としたことを特徴とする。また、握り部６は、リング枠の直径線上に握り杆を角度自在に設けたものとしてもよい。【選択図】図１
2010111297.tif 000002
【特許請求の範囲】
【請求項１】
ボートの左右舷間の中央部に支持支柱を設置し、この支持支柱に各舷に配置するオールの基部を軸支し、この軸支部でオールは上下方向及び水平方向へ回動可能とする個別の手段を有し、オールの基部寄りの中間部に握り部を設けたことを特徴とするボート。
【請求項２】
握り部は、オールの長手方向の略垂直面に設けられ、且つオールの長手方向に対して、並行部、左・右方向への傾斜部及び垂直部を有する枠体としたことを特徴とする請求項１記載のボート。
【請求項３】
握り部は、オールの長手方向の略垂直面に設けられ、且つリング枠の直径線上に握り杆を角度調節可能に設けて成ることを特徴とする請求項１記載のボート。
【請求項４】
握り杆がリング枠の直径線上を角度自在に回転することを特徴とする請求項３記載のボート。
【請求項５】
オールの基部の軸支部が昇降することを特徴とする請求項１乃至４のいずれかに記載のボート。
【請求項６】
オールの基部の軸支部が前後方向に移動することを特徴とする請求項１乃至５のいずれかに記載のボート。
【請求項７】
軸支したオールが先端の水掻き部に向かって下方へ湾曲していることを特徴とする請求項１乃至６のいずれかに記載のボート。
【発明の詳細な説明】
【技術分野】
【０００１】
本発明はボートに関するもので、詳しくは進行方向に対して前向きに座ってオールを漕ぐことのできるボートに関するものである。
【背景技術】
【０００２】
従来のボートにおけるオール操作は、進行方向に対して後ろ向きに座って漕ぐようになっているため、進行方向である前方の安全確認は振り返って見ることとなり、ボート同士の衝突や、障害物との接触、座礁等の事故が発生する危険があった。
そこで、このような欠点を解決すべく、進行方向に対して前向きに座って漕ぐことの出来るオールの構成を主とする発明が開示されている。
【０００３】
例えば、特開２０００−１９８４９２では、オールを支点に当る所より切り離し、其の切り離した部分に、２個の歯車を噛み合った状態で自由に折れ曲るように設け、各切り離したオールに固定したものである。
また、特開２０００−３０２０９４では、ボートの両舷に一本の桁を渡して固定し、その中央部に左右オールの回転基軸を設け、それを支点にオールを漕ぐこととし、さらに左右オールを片手でも同時漕ぎを可能とする連結棒を架設したものである。
【特許文献１】特開２０００−１９８４９２
【特許文献２】特開２０００−３０２０９４
【発明の開示】
【発明が解決しようとする課題】
【０００４】
特開２０００−１９８４９２では、オールを支点に当る所より切り離し、其の切り離した部分に、２個の歯車を噛み合った状態で自由に折れ曲るように設けてあるため、漕ぐ握り部側と水掻き側との動きに感覚的に違和感が生じ咄嗟の対応に影響を与えること、水掻き部の水中への浮沈操作を可能とするための特別の構成が必要となることの問題点がある。
【０００５】
また、特開２０００−３０２０９４では、オールの支点が基部にあるため、水を掻くストロークを大きくするためには基部に近いほうが良いけれど、近いほど漕ぐのに大きな力が必要なこと、水掻き部の水中への浮沈操作が問題となるのである。
【０００６】
そこで、本発明は進行方向に対して前向きに座って漕ぐことの出来るオールであると共に、漕ぎ易く、水掻き部の水中への浮沈操作も容易なボートを提供せんとするものである。
【課題を解決するための手段】
【０００７】
本発明の請求項１のボートは、ボートの左右舷間の中央部に支持支柱を設置し、この支持支柱に各舷に配置するオールの基部を軸支し、この軸支部でオールは上下方向及び水平方向へ回動可能とする個別の手段を有し、オールの基部寄りの中間部に握り部を設けたことを特徴とするものである。
【０００８】
請求項２の発明は、請求項１において、握り部は、オールの長手方向の略垂直面に設けられ、且つオールの長手方向に対して、並行部、左・右方向への傾斜部及び垂直部を有する枠体としたことを特徴とするものである。
【０００９】
請求項３の発明は、請求項１において、握り部は、オールの長手方向の略垂直面に設けられ、且つリング枠の直径線上に握り杆を角度変更自在に設けて成ることを特徴とするものである。
【００１０】
請求項４の発明は、請求項３において、握り杆がリング枠の直径線上を角度自在に回転することを特徴とするものである。
【００１１】
請求項５の発明は、請求項１乃至４において、オールの基部の軸支部が昇降することを特徴とするものである。
【００１２】
また、請求項６の発明は、請求項１乃至５おいて、オールの基部の軸支部が前後方向に移動することを特徴とするものである。
【００１３】
さらに、請求項７の発明は、請求項１乃至６において、軸支したオールが先端の水掻き部に向かって下方へ湾曲していることを特徴とするものである。
【発明の効果】
【００１４】
請求項１の発明において、ボートの左右舷間の中央部に支持支柱を設置し、この支持支柱に各舷に配置するオールの基部を軸支すると共に、軸支部においてオールは上下方向及び水平方向へ回動可能とする個別の手段を有し、オールの基部寄りの中間部に握り部を有するため、上下方向に回動可能なためオールの水掻き部を水中に沈め、水平方向に回動可能なため手前へ引くことによって、進行方向に対して前向き据わって漕ぎながらボートを進めることが出来るのである。
【００１５】
また、オールは上下方向及び水平方向へ個別に回動を可能とする手段を有するため、互いに緩衝して動きの支障となったり、オールが芯を軸に自転することなく、正確・確実に上下及び水平操作ができる効果があり、水中への浮沈も容易に行え、特にオールの水平方向への回動における水掻き部の角度が一定となる効果を得られる。
そして、オールの基部寄りの中間部に握り部を有するため、握る部分が特定しオールの扱いを容易とする効果を発揮するものである。
【００１６】
請求項２の発明は、請求項１の効果に加えて、握り部がオールの長手方向の略垂直面に設けられ、且つ長手方向に対して、並行部、左・右方向への傾斜部及び垂直部を有する枠体としたため、漕ぎ手の前面の、多様な角度の握り部に任意部分を握って漕ぐことが可能となり、漕ぎ手の力が入り易い任意角度で握り締めて操作できる効果を有するものである。
【００１７】
請求項３の発明は、請求項１の効果に加えて、握り部がオールの長手方向の略垂直面に設けられ、且つリング枠の直径線上に握り杆を角度変更自在に設けて成るため、漕ぎ手の握り易い任意の角度に握り杆を設定し、オールを握り締めて操作ができるという、請求項２と同様の効果を有するものである。
【００１８】
請求項４の発明は、請求項３の効果に加えて、漕ぎ手の腕の動きと握りに、最適の状態に握り杆の角度が自然に追随して変わって対応する効果を有するものである。
【００１９】
請求項５の発明は、請求項１乃至４の効果に加えて、オールの基部の軸支部が昇降するため、オールが上下方向に回動可能であるのと相俟って、水掻き部の水中への浮沈を更に容易に操作できる効果を発揮するものである。
【００２０】
請求項６の発明は、請求項１乃至５の効果に加えて、オールの基部の軸支部が前後方向に移動するため、移動分の距離をオールの水を掻くスペースに加えることができ、より広範囲の水を掻くことを可能とする効果がある。
また、支点の位置を前後に移動しながらオールを回動するようにすれば、腕を動かす範囲が同じでもオールの回動角度が大きくなり、広範囲の水を掻くことが可能となる効果がある。
さらに、支点の位置を前後に移動しながらオールが回動するようにすれば弱い力でも容易に水を掻いて漕ぐことができる効果も有する。
【００２１】
請求項７の発明は、請求項１乃至６の効果に加えて、軸支したオールが先端の水掻き部に向かって下方へ湾曲しているため、オールの上下傾斜角が小さい操作で水掻き部を水中へ沈めるのが容易となる効果を有する。
【発明を実施するための最良の形態】
【００２２】
次に本発明の実施の形態を図面に基づいて説明する。
図１は本発明の一実施の形態を示す斜視図であり、ボート１には二本のオール２、２が付設してある。
オール２は基部３、柄部４、先部の水掻き部５、及び柄部４の中間に設けた握り部６より構成され、オール２の基部３は、ボート１の左・右舷の中央部の舟内に設置した支持支柱９に上下方向及び水平方向へ回動可能に連結されている。
【００２３】
支持支柱９とオール２の基部３との連結は図２に示すように、先ず、左・右舷の方向に横設したオール連結部材７の両端面に、上下回動用支持部７１、７１が左右に対向して突設している。
この上下回動用支持部７１、７１間に上下回動リンク８の一端部８１を挿入し、軸ピン８２で軸着して上下方向へ回動可能となっている。
また、上下回動リンク８の他端部には、水平回動用支持部８３、８３が上下に対向して突設している。
そして、オール２の基部３の端部３１を水平回動用支持部８３、８３に挿入し、軸ピン８４で軸着して水平方向へ回動可能となっている。
【００２４】
したがって、オール２は、上下方向への回動、又は水平方向への回動を互いに緩衝を受けることなく、各回動用支持部に規制されて確実に回動するものとなり、水掻き部５の水中への浮沈操作や、進行のための水掻き操作を容易に行えるものである。
【００２５】
また、オール２は全体として柄部４が先方の水掻き部５へ行くにしたがって下方（基部３が支持支柱９に連結された状態で）に湾曲する形状とすれば、水掻き部５を水中へ沈めるために基部３側を上げる角度が小さくても良い利点が得られる。
【００２６】
オール２の握り部６は、柄部４の基部３寄りの中間に設けられている。
握り部６は枠体を形成し、オール２が支持支柱９に連結された状態で略垂直位置に柄部４へ取り付けられている。
又、握り部６は柄部４の一部と成っているように構成されていても良い。
握り部６の枠体はオール２の長手方向に対して、並行部６１、左・右方向への傾斜部６２及び垂直部６３を形成し、漕ぎ手がオール２を扱い易いように、任意の部位を握って操作できるようにしてある。
【００２７】
図３は、オール２の基部３と連結するオール連結部材７が、支持支柱９と前後方向に移動可能であると共に、昇降可能となっていることを示す。
支持支柱９には上下方向にレール軌道９１が当設してあり、起立状態にある補助支柱９３に設けたスライドブロック９２がレール軌道９１を把持して直動するため、補助支柱９３は上下方向へ昇降可能となっている。
【００２８】
さらに、補助支柱９３にはボート１の前後方向に配置した水平部材９４を冠設してあり、水平部材９４上にボート１の前後方向となるレール軌道９５を敷設し、レール軌道９５を把持するスライドブロック９６が前後方向に直動可能となっている。
そして、このスライドブロック９６に、前記オール連結部材７が冠着して一体としてあるため、オール２の基部３と連結するオール連結部材７が、支持支柱９に対して前後方向に移動可能であると共に、昇降可能となるのである。
【００２９】
レール軌道９１、９５にはストッパー（図示せず）を配設し、スライドブロック９２、９６の摺動範囲を規制できるものとしてある。
また、スライドブロック９２、９６又は補助支柱９３或いは連結部材７を、一方又は双方のスライド方向（又は昇降方向或いは移動方向）へ付勢する付勢手段を設けることにより、一方向への操作を容易にしたり、戻りが滑らかになる作用を促すようにすることができる。
【００３０】
図４は、オール２の握り部６の他の実施の形態を示す正面図、図５は同断面図である。
握り部６は、リング枠６４の直径線上に握り杆６６を角度変更自在に設けて成り、リング枠６４の内周端面に摺動溝６４Ａを形成し、握り杆６６の前後面を平坦にした両端部６６Ａが、この摺動溝６４Ａへ摺動可能に嵌挿して係止されている。
【００３１】
また、リング枠６４の円周上に沿って、摺動溝６４Ａに通じる位置決め用孔６５が多数設けてあり、一方、握り杆６６の両端部（又は一方部）６６Ａには固定用孔６７を設け、前記位置決め用孔６５と連通する任意角度に握り杆６６を位置決めし、止め具６８を挿着して握り杆６７をリング枠６４に固定するものである。
【００３２】
図５と異なり、止め具６８と位置決め用孔６５及び／又は固定用孔６７とは螺合するものとしても良い。
更に、図６は、摺動溝６４Ａと握り杆６６の両端部６６Ａとの摺動面に、ボールやコロ等の回転子６９を介在させ、漕ぎ手の握り角度に応じて握り杆６６が回動して追随するようにしたものである。
漕ぎ手の腕の動きと握りに、最適の状態に握り杆６６の角度が自然に追随して変わって対応するものであり、握り杆６６の角度を設定して固定する手段を設ける必要がないものとなる。
【００３３】
なお、本発明は、上述した実施の形態に限ることなく本発明の要旨を逸脱しない範囲で同等の作用効果を得られる他の実施の形態を各種採用することができる。
【図面の簡単な説明】
【００３４】
【図１】本発明の一実施の形態を示す斜視図である。
【図２】オールの基部の連結部を示す斜視図である。
【図３】支柱とオールとの前後方向への移動及び昇降状態を示す側面図である。
【図４】オールの握り部の他の実施の形態を示す正面図である。
【図５】図４の断面図である。
【図６】オールの握り部の他の実施の形態を示す断面図である。
【符号の説明】
【００３５】
１        ボート
２        オール
３        基部
４        柄部
５        水掻き部
６        握り部
６１        並行部
６２        左・右方向への傾斜部
６３        垂直部
６４        リング枠
６４Ａ      摺動溝
６５        位置決め用孔
６６        握り杆
６６Ａ      両端部
６７        固定用孔
６８        止め具
６９        回転子
７        連結部材
７１        上下回動用支持部
８        上下回動リンク
８１        一端部
８２        軸ピン
８３        水平回動用支持部
８４        軸ピン
９        支持支柱
９１、９５  レール軌道
９２、９６  スライドブロック
９３        補助支柱
９４        水平部材
【図１】
2010111297.tif 000003
【図２】
2010111297.tif 000004
【図３】
2010111297.tif 000005
【図４】
2010111297.tif 000006
【図５】
2010111297.tif 000007
【図６】
2010111297.tif 000008